(57)【特許請求の範囲】
【請求項１】
ディスクを収容したディスクカートリッジが挿入／排出されるディスク装置であって、
ドライブベースと；
前記ドライブベース上に前記ディスクの半径方向に移動可能に搭載されたキャリッジと；
前記キャリッジを移動させる駆動手段と；
前記キャリッジに搭載された磁気ヘッドを有する磁気ヘッドアセンブリと；
前記磁気ヘッドアセンブリに係合して前記磁気ヘッドを持ち上げる第１位置と、装置内に挿入された該ディスクカートリッジの挿入力により押されて前記磁気ヘッドが前記ディスクに接触するのを許容する第２位置との間で前記ドライブベースに垂直な軸線回りに回動可能な磁気ヘッドリフタとを具備し；
前記磁気ヘッドアセンブリは、前記磁気ヘッドリフタを前記ディスク面に向かう方向に付勢力を与えるサスペンションを含んでおり：
前記ディスクカートリッジ排出時には、前記磁気ヘッドリフタは前記サスペンションと係合して前記磁気ヘッドを持ち上げており、前記ディスクカートリッジ挿入時には、該磁気ヘッドリフタは回動することにより前記磁気ヘッド側から前記磁気ヘッドアセンブリの取付側へ移動して前記サスペンションとの係合を徐々に解除することにより、前記磁気ヘッドが前記ディスクに接触するのを許容することを特徴とするディスク装置。
【請求項２】
前記磁気ヘッドリフタを前記第１位置方向に回動付勢するコイルばねを更に具備した請求項１記載のディスク装置。
【請求項３】
前記磁気ヘッドリフタは前記コイルばねと一体的に形成されている請求項２記載のディスク装置。
【請求項４】
前記磁気ヘッドのディスク上へのロード・アンロードは前記ディスクの最外周部で行う請求項１記載のディスク装置。
【請求項５】
前記磁気ヘッドのディスク上へのロード・アンロードは前記ディスクの最内周部で行う請求項１記載のディスク装置。
【請求項６】
前記ディスクカートリッジの挿入に伴い該ディスクカートリッジの挿入力に押されて第１の方向に回動し、該ディスクカートリッジの排出時に第１の方向と反対方向の第２の方向に回動して該ディスクカートリッジを排出するイジェクトアームを有するカートリッジ排出手段を更に具備した請求項１記載のディスク装置。
【請求項７】
前記カートリッジ排出手段は前記ドライブベースに形成されたガイド溝と、前記ガイド溝中を移動する第１ローラーと、前記イジェクトアームに回転可能及び摺動可能に取り付けられ前記ガイド溝中を移動する第２ローラーと、一端が前記第１ローラーに係合され他端が前記第２ローラーに係合されたカートリッジ排出ばねとを含んでいる請求項６記載のディスク装置。
【請求項８】
前記磁気ヘッドリフタは、前記ディスクカートリッジが装置内に挿入されたとき、該ディスクカートリッジの挿入力により前記第２ローラーに押されて前記第２位置方向に回動する請求項７記載のディスク装置。
【請求項９】
前記キャリッジに搭載された、対物レンズを有する光学ヘッドを更に具備しており、
前記対物レンズと前記磁気ヘッドは前記ディスクを間に挟んで対向するように配置されている請求項１記載のディスク装置。
【発明の詳細な説明】
【０００１】
【発明の属する技術分野】
本発明は、一般的にディスク装置に関し、特に、光学ヘッドと磁気ヘッドとを具備した光磁気ディスク装置に関する。
【０００２】
【従来の技術】
光磁気ディスク装置は、年々高密度化を要求されており、情報の記録に様々な方式が開発されている。ＩＳＯ規格に採用されている光変調方式は、外部磁界を一定方向に印加したままレーザビームを記憶データで変調することにより、情報を光磁気記録媒体に記録する。この光変調方式においては、情報の記録密度はビームスポットのサイズにより限定される。
【０００３】
これに対し、一定強度のレーザビームを照射したまま外部磁界を記録データで変調する磁界変調方式は、ビームスポットのオーバーラップが可能なため、光変調方式に比べて高密度記録に有利であると考えられている。
【０００４】
外部磁界を記録すべきデータで高速に変調するため、磁気ヘッドとして浮上磁気ヘッドが使用されており、浮上磁気ヘッドの形状と動作原理は磁気ディスク装置に使用されている磁気ヘッドと概略同一である。光磁気ディスクが回転すると、磁気ヘッドはディスク上約１０μｍ程度の高さで浮上しながら、ビームスポット内にデータを記録する。
【０００５】
光磁気ディスク装置ではディスクの交換が必須なため、装置内からディスクの排出（イジェクト）の際には、磁気ヘッドをディスクから約数ｍｍ程度持ち上げて、即ちアンロードして磁気ヘッドの破損を防止し、ディスクを装置内に挿入した後に再び磁気ヘッドをディスク上に下降、即ちロードさせる機構が必要である。
【０００６】
従来は、特開平６−２１５４３５号に記載されているように、ディスク装置内へのディスクの挿入／排出動作に連動して、磁気ヘッドを搭載したサスペンションを持ち上げる部材を持ち上げ位置から退避させる機構が採られている。
【０００７】
この従来機構を図１（Ａ）及び図１（Ｂ）を参照して説明する。まず図１（Ａ）を参照すると、磁気ヘッドアセンブリ２はサスペンション４と、サスペンション４の先端部に搭載された磁気ヘッド６とを含んでいる。
【０００８】
符号８はサスペンション持ち上げ部材であり、図示された持ち上げ位置から矢印Ａ方向、即ちサスペンション４の長手方向と直交する方向に移動され、これにより磁気ヘッド６がサスペンション４のばね力によりディスクと接触する。
【０００９】
また、図１（Ｂ）に示す従来機構では、サスペンション持ち上げ部材１０が矢印Ｂ方向、即ちディスク１２と直交する方向に移動され、磁気ヘッド６がサスペンション４のばね力によりディスク１２と接触する。
【００１０】
このように従来の光磁気ディスク装置では、持ち上げ部材の移動方向、即ち解除方向が図１（Ａ）に示すＡ方向、又は図１（Ｂ）に示すＢ方向であり、持ち上げ部材８，１０を解除した瞬間に磁気ヘッドのサスペンション４が自身のばね力によりディスク１２面に向かって復帰するので、磁気ヘッド６がディスク面を叩き、ディスク又は磁気ヘッドを破損する危険があった。
【００１１】
また一方では、磁界変調方式の光磁気ディスク装置は、磁気ヘッドがディスク上にロードしてからディスクが回転するコンタクト・スタート・ストップ（ＣＳＳ）方式であるので、磁気ヘッドとディスクの静止摩擦力に打ち勝つだけの起動トルクがスピンドルモータに要求され、モータ小型化の妨げとなっていた。
【００１２】
更に、特開平６−２１５４３５号公報に開示された装置においては、ディスクカートリッジを装置内からイジェクトする間だけソレノイドに通電して磁気ヘッドをディスク上から浮上させるが、イジェクト動作が終了すると磁気ヘッドが元の位置に復帰するので、次にディスクカートリッジを装置内に挿入、又はロードする際に、その動作を検出して再び磁気ヘッドを浮上させる手段が必要となり、装置構成が複雑となっていた。
【００１３】
【発明が解決しようとする課題】
よって、本発明の目的は、ディスク及び磁気ヘッドを破損することなく、且つ磁気ヘッドのディスク上へのロード・アンロードを行う簡単な機構を具備したディスク装置を提供することである。
【００１４】
本発明の他の目的は、磁気ヘッドとディスクとの間の静摩擦力を小さくし、スピンドルモータの負荷を低減することが可能なディスク装置を提供することである。
【００１５】
本発明の更に他の目的は、ディスクカートリッジを装置内から排出した後磁気ヘッドを浮上させたまま保持する機構を具備したディスク装置を提供することである。
【００１６】
【課題を解決するための手段】
本発明によると、ディスクを収容したディスクカートリッジが挿入／排出されるディスク装置であって、ドライブベースと；前記ドライブベース上に前記ディスクの半径方向に移動可能に搭載されたキャリッジと；前記キャリッジを移動させる駆動手段と；前記キャリッジに搭載された磁気ヘッドを有する磁気ヘッドアセンブリと；前記磁気ヘッドアセンブリに係合して前記磁気ヘッドを持ち上げる第１位置と、装置内に挿入された該ディスクカートリッジの挿入力により押されて前記磁気ヘッドが前記ディスクに接触するのを許容する第２位置との間で前記ドライブベースに垂直な軸線回りに回動可能な磁気ヘッドリフタとを具備し；前記磁気ヘッドアセンブリは、前記磁気ヘッドリフタを前記ディスク面に向かう方向に付勢力を与えるサスペンションを含んでおり：前記ディスクカートリッジ排出時には、前記磁気ヘッドリフタは前記サスペンションと係合して前記磁気ヘッドを持ち上げており、前記ディスクカートリッジ挿入時には、該磁気ヘッドリフタは回動することにより前記磁気ヘッド側から前記磁気ヘッドアセンブリの取付側へ移動して前記サスペンションとの係合を徐々に解除することにより、前記磁気ヘッドが前記ディスクに接触するのを許容することを特徴とするディスク装置が提供される。
【００１８】
磁気リフタはコイルばねにより第１位置に回動される。好ましくは、磁気リフタとコイルばねが一体的に構成されている。好ましくは、磁気ヘッドリフタによる磁気ヘッドの選択的な持ち上げは、ディスクの最外周部又は最内周部で実行する。
【００２２】
【発明の実施の形態】
以下、図面を参照して、本発明の数多くの実施形態について説明する。全ての実施形態について、実質的に同一構成部分については同一符号を付して説明する。
【００２３】
図２及び図３を参照すると本発明第１実施形態の光磁気ディスク装置１４Ａの概略平面図がそれぞれ示されている。図２は光磁気ディスクカートリッジ１８が光磁気ディスク装置１４Ａ内に挿入を開始された状態を示しており、図３は完全に挿入又はロードされた状態を示している。
【００２４】
カートリッジ１８内には光磁気ディスク２０が収容されている。符号１６は光磁気ディスク装置１４Ａのドライブベース又はディスクエンクロージャを示しており、ドライブベース１６には一対の磁気回路３８、一対のガイドレール４２、半導体レーザ３５等が搭載されている。
【００２５】
符号２４は対物レンズ３６を有する光学ヘッド３４を担持したキャリッジであり、磁気回路３８に対応する位置に一対のコイル４０を具備している。磁気回路３８とコイル４０とでボイスコイルモータ（ＶＣＭ）が構成され、コイル４０に電流を流すと、キャリッジ２４が一対のガイドレール４２に案内されて光磁気ディスク２０の半径方向に移動する。
【００２６】
符号２６は磁気ヘッドアセンブリであり、図４及び図５に示されるようにキャリッジ２４に固定されたヘッドアーム２８と、ヘッドアーム２８にその基端部が固定されたサスペンション３０と、サスペンション３０の先端部で支持された磁気ヘッド３２から構成される。
【００２７】
ディスクカートリッジ１８は矢印Ｓ方向に移動可能なシャッター５５と、一端がシャッター５５に固定されたシャッター開部材５８を有している。シャッターばね６０の一端がシャッター５５に係合し、その他端がカートリッジ１８に係合している。カートリッジ１８には更に切欠き６２が形成されている。
【００２８】
光磁気ディスクカートリッジ１８は図２の矢印Ｌ方向に光磁気ディスク装置１４Ａ内に挿入又はロードされ、これに伴いシャッター５５が開いて光磁気ディスク２０が露出する。このためシャッター５５の開閉機構及びカートリッジ１８の排出機構を光磁気ディスク装置１４Ａは具備する必要がある。
【００２９】
よって、カートリッジホルダ１７にはガイド溝４４が形成されている。ガイド溝４４はその一端に大径端部４５を有しており、この大径端部４５を通してローラー４６，５４がガイド溝４４中に挿入されている。
【００３０】
イジェクトアーム４８が軸５０周りに回動可能にカートリッジホルダ１７に取り付けられている。イジェクトアーム４８はコイルばね５２により図２で反時計回り方向に付勢されている。
【００３１】
ローラー５４はイジェクトアーム４８の図示しない長穴中に挿入されている。符号５６はカートリッジ排出ばねを示しており、その一端はローラー４６に固定され、他端はローラー５４に固定されている。
【００３２】
しかして、カートリッジ１８を図２の矢印Ｌ方向に光磁気ディスク装置１４Ａ内に挿入すると、ローラー４６がシャッター開部材５８に係合し、ローラー４６がガイド溝４４の傾斜部分を移動するにつれてシャッター５５がシャッターばね６０の付勢力に抗して矢印Ｓ方向に開き、ローラー４６がガイド溝４４の長手方向直線部分まで来ると、ローラ４６がカートリッジ１８の切欠き６２内に入り、シャッター５６が完全に開くことになる。
【００３３】
この状態で更に、カートリッジ１８はローラー４６，５４及びイジェクトアーム４８を押しながら光磁気ディスク装置１４Ａ内に一杯に挿入され、図３の状態になる。
【００３４】
このとき、カートリッジ１８の下側に位置しているスピンドルモータ２２のロック機構（図示せず）が解除され、スピンドルモータ２２が上昇して、ディスク２０をチャッキングする。
【００３５】
スピンドルモータ２２によりディスク２０が回転すると、ディスク２０の回転に伴う空気流により、磁気ヘッド３２は所定の高さでディスク２０上を浮上し、情報の記録・再生が可能な状態になる。
【００３６】
情報記録時には、半導体レーザ（ＬＤ）３５及び磁気ヘッド３２を駆動する。半導体レーザ３５から図３の矢印Ｂ方向に出射されたレーザビームは、図示しない立ち上げミラーにより紙面に垂直な方向に反射され、対物レンズ３６によりディスク２０上に集光される。
【００３７】
このとき磁界変調された磁気ヘッド３２で外部磁界を印加すると、ディスク２０上に記録ピット（記録マーク）が形成される。情報記録時又は情報再生時に、一対のコイル４０に通電すると、キャリッジ２４は目的の記録トラックに向けてシークする。
【００３８】
カートリッジ１８を光磁気ディスク装置１４Ａ内から排出する際は、図示しない機械的又は電気的機構によりスピンドルモータ２２を下降させる。これにより、イジェクトアーム４８がコイルばね５０の付勢力により反時計回り方向に回動し、カートリッジ１８は光磁気ディスク装置１４Ａから排出される。
【００３９】
ローラー４６はカートリッジ排出ばね５６により図２に示す元の位置に復帰する。更に、カートリッジ１８のシャッター５５はシャッターばね６０により閉じられる。
【００４０】
符号６４はばね鋼から形成された磁気ヘッドリフタであり、カートリッジホルダ１７に固定されたシャフト６６周りにコイル状に巻回されている。磁気ヘッドリフタ６４は、通常はコイルばねにより図２に示すようにストッパー６８，６９に押し付けられている。
【００４１】
図４に最も良く示されるように、この位置では磁気ヘッドリフタ６４はサスペンション３０に係合し、磁気ヘッド３２を十分に持ち上げている。カートリッジ１８のシャッター５５が完全に開いた後、カートリッジ１８が光磁気ディスク装置１４Ａ内に更に挿入されると、ローラー５４の側面が磁気ヘッドリフタ６４を押し、図３に示すようにシャフト６６を中心として時計周り方向に回動させる。
【００４２】
この動作に伴い磁気ヘッド３２は徐々にディスク２０上に降下する。正確には、磁気ヘッド３２が完全に降下した後もカートリッジ１８は若干挿入されるので、磁気ヘッド３２がディスク２０面上を滑るが、従来装置のようにディスク２０面を叩くことはない。
【００４３】
カートリッジ１８が光磁気ディスク装置１４Ａから排出されると、磁気ヘッドリフタ６４はコイルばねの付勢力により図２に示す位置まで復帰し、磁気ヘッドリフタ６４の一端がサスペンション３０に係合して、磁気ヘッド３２を持ち上げる。
【００４４】
尚、本実施形態では、磁気ヘッド３２のディスク２０上へのロード・アンロードはディスク２０の最外周部で行われるため、カートリッジ１８の排出時には、スピンドルモータ２２の逆起電力をキャリッジ２４移動用のボイスコイルモータのコイル４０へ印加して、キャリッジ２４をディスク２０の最外周部へ退避させる。
【００４５】
図６乃至図９は本発明第２実施形態の光磁気ディスク装置１４Ｂを示している。この実施形態では、磁気ヘッド３２のロード・アンロードはディスク２０の最内周部で行われる。本実施形態の他の構成は上述した第１実施形態と同様である。
【００４６】
このように、磁気ヘッド３２のディスク２０へのロード・アンロードは、第１実施形態のようにディスク２０の最外周部で行うか、又は第２実施形態のようにディスク２０の最内周部で行う方が、磁気ヘッド３２がディスク２０のデータゾーンにかかる面積が少なくなり、信頼性が良い。
【００４７】
図１０は本発明第３実施形態の光磁気ディスク装置１４Ｃの平面図を示しており、図１１はその概略側面図を、図１２はその要部の斜視図をそれぞれ示している。
【００４８】
図１２に最も良く示されるように、磁気ヘッドリフタ７０は樹脂成形部材から形成されており、ドライブベース１６に固定した一対の軸受け７４により回動可能に支持されている。
【００４９】
即ち、磁気ヘッドリフタの下端部に固定したシャフト７２が一対の軸受け７４内に挿入され、シャフト７２に取り付けたコイルばね７６により磁気ヘッドリフタ７０は図１２で反時計回り方向に付勢され、ストッパー７８に押し付けられている。この位置では磁気ヘッドリフタ７０がサスペンション３０に係合し、磁気ヘッド３２はディスク２０から持ち上げられている。
【００５０】
カートリッジ１８の光磁気ディスク装置１４Ｃ内への挿入に伴い、カートリッジ１８の端面が磁気ヘッドリフタ７０を倒し、磁気ヘッド３２を徐々に降下させてディスク２０との接触を許容する。
【００５１】
カートリッジ１８が光磁気ディスク装置１４Ｃから排出されると、コイルばね７６により磁気ヘッドリフタ７０はストッパー７８に当接する位置まで回動し、磁気ヘッド３２を持ち上げる。
【００５２】
図１３は本発明第４実施形態の光磁気ディスク装置１４Ｄの平面図であり、図１４はその要部を示す斜視図である。図１４に最も良く示されるように、磁気ヘッドリフタ８０は電磁ソレノイド８４に連結されている。磁気ヘッドリフタ８０の先端には傾斜面８０ａが形成されている。
【００５３】
磁気ヘッドリフタ８０は、通常コイルばね８２によりサスペンション３０と係合して磁気ヘッド３２を持ち上げる図１５（Ａ）に示す突出位置に付勢されており、ソレノイド８４に通電するとコイルばね８２の付勢力に抗して引き付けられ、図１５（Ｂ）に示すように磁気ヘッド３２が降下してディスク２０との接触を許容する。
【００５４】
光磁気ディスク装置１４Ｄの電源がオフのとき又はカートリッジ１８が装置内に挿入されていないときは、磁気ヘッド３２は通常磁気ヘッドリフタ７０により持ち上げられている。
【００５５】
カートリッジ１８が光磁気ディスク装置１４Ｄ内に挿入され、装置１４Ｄの電源がオンになると、まずスピンドルモータ２２が回転し、所定時間後にソレノイド８４に通電される。
【００５６】
これにより、磁気ヘッドリフタ８０はソレノイド８４により引き付けられ、サスペンション３０との係合が外れて磁気ヘッド３２は降下する。このとき、ディスク２０の回転による揚力が磁気ヘッド３２に働いているため、磁気ヘッド３２とディスク２０との衝突を避けることはできる。情報の記録時及び再生時には、ソレノイド８４は常に通電されている。
【００５７】
光磁気ディスク装置１４Ｄの電源をオフにするとき又はカートリッジ１８を装置内から排出するときには、上述した第１実施形態と同様に、キャリッジ２４を特定の位置に退避させた後、ソレノイド８４の通電を切るようにする。次いで、光磁気ディスク装置１４Ｄの電源をオフにするか、カートリッジ１８を装置内から排出する。
【００５８】
ソレノイド８４の通電を切ると、コイルばね８２の付勢力により磁気ヘッドリフタ８０は突出位置に復帰し、再び磁気ヘッド３２を持ち上げる。この状態で、カートリッジ１８を排出するか又は光磁気ディスク装置１４Ｄの電源をオフにしても、磁気ヘッド３２がディスク２０と干渉することはない。
【００５９】
ソレノイド８４は、図１４に示すようにディスク２０に対し平行に磁気回路を構成しているため、装置の薄型化が可能である。また本実施形態では、スピンドルモータ２２の起動時に磁気ヘッド３２がディスク２０に接触していないため、スピンドルモータ２２の起動トルクを低減させることができる。
【００６０】
次に、図１６に示した制御回路ブロック図を参照して、第４実施形態の制御動作について説明する。スピンドル駆動回路９６によりスピンドルモータ２２を駆動すると、光磁気ディスク２０が高速で回転される。
【００６１】
レーザ駆動回路９２により半導体レーザ３５を駆動すると、半導体レーザ３５から一定強さのレーザビームが出射され、このレーザビームはビームスプリッタ９４を透過して、対物レンズ３６により光磁気ディスク２０上にフォーカスされる。
【００６２】
一方、記録信号を変調回路９８に入力して、磁気ヘッド駆動回路１００を記録信号に応じて駆動すると、磁気ヘッド３２により記録信号で変調された外部磁界が光磁気ディスク２０に印加され、ビームスポット内に記録信号に応じた記録ピットが形成される。
【００６３】
光磁気ディスク２０に記録されたデータの読み出し時には、磁気ヘッド３２は使用しない。レーザ駆動回路９２により半導体レーザ３５を駆動し、記録パワーよりも弱い再生パワーのレーザビームを半導体レーザ３５から出射させる。
【００６４】
このレーザビームは、対物レンズ３６により光磁気ディスク２０上にフォーカスされ、ディスク２０からの反射光が対物レンズ３６及び図示しない立ち上げミラーを介してビームスプリッタ９４に入力され、ビームスプリッタ９４で反射されて４分割光検出器１０４上に集光される。
【００６５】
光磁気ディスク２０からの反射光は記録データに応じて磁気カー回転が変化するので、この磁気カー回転を復調回路１０６で復調することにより、再生信号が得られる。
【００６６】
一方、４分割光検出器１０４で検出した光は光量に応じて光−電気変換され、これらの電気信号が加算器及び比較器を介してフォーカス駆動回路１０８に入力され、誤差信号に応じた電流がフォーカスコイル８８に供給され、対物レンズ３６をディスク２０と垂直方向に移動させる。
【００６７】
更に、４分割光検出器１０４からの誤差信号は比較器を介してトラッキング駆動回路１１０に入力され、誤差信号に応じてトラックコイル９０に電流が供給されて、光学ヘッド３４を所望方向に移動させる。
【００６８】
また、キャリッジ駆動回路１０２によりキャリッジコイル４０に所定方向及び所定強さの電流を供給すると、キャリッジ２４がディスク２０の半径方向に移動されて、目標トラックをシークする。
【００６９】
本実施形態では、上述したようにスピンドルモータ２２及びソレノイド８４の駆動順序は重要である。即ち、カートリッジ１８が装置内に挿入され、光磁気ディスク装置１４Ｄの電源がオンになると、まずスピンドルモータ２２が回転し、所定時間後にソレノイド８４が通電されるように、制御回路１１４でスピンドル駆動回路９６及びソレノイド駆動回路１１２を制御する。
【００７０】
また、光磁気ディスク装置１４Ｄの電源をオフにするとき、又はカートリッジ１８を装置内から排出するときには、まずソレノイド８４の通電を切ってから、スピンドルモータ２２を停止するように、制御回路１１４でソレノイド駆動回路１１２及びスピンドル駆動回路９６を制御する。
【００７１】
図１７を参照すると、本発明第５実施形態の光磁気ディスク装置１４Ｅの平面図が示されている。図１８（Ａ）に示すように、サスペンション３０に永久磁石１１６が貼付されており、これに対向してドライブベース１６にソレノイド１１８が配置されている。
【００７２】
光磁気ディスク装置１４Ｅの電源オフ時又はカートリッジ１８が装置内に挿入されていないときには、図１８（Ｂ）に示すように、永久磁石１１６はソレノイド１１８の鉄心１２０に吸着されて、磁気ヘッド３２はディスク２０面から持ち上げられている。
【００７３】
カートリッジ１８が装置内に挿入され、光磁気ディスク装置１４Ｅの電源がオンになると、まずスピンドルモータ２２が回転を開始する。永久磁石１１６の極性が図１８（Ｂ）に示すようだと仮定すると、スピンドルモータ２２の回転後、鉄心１２０の永久磁石１１６側がＮ極になるようにソレノイド１１８に電流を流せば、永久磁石１１６は鉄心１２０と反発して磁気ヘッド３２は降下する。
【００７４】
その後ソレノイド１１８の電流を切っても、サスペンション３０の付勢力とディスク２０の回転による揚力のバランスにより、磁気ヘッド３２は所定の浮上高さでディスク２０上を浮上する。
【００７５】
光磁気ディスク装置１４Ｅの電源をオフにしたいとき又はカートリッジ１８を装置内から排出するときには、第４実施形態と同様にキャリッジ２４を特定の位置に退避させた後、スピンドルモータ２２の逆起電圧を、鉄心１２０の永久磁石１１６側がＳ極となるようにソレノイド１１８に瞬間的に印加すると、永久磁石１１６は鉄心１２０に吸着される。
【００７６】
この電圧は瞬時で切断されるが、磁気ヘッド３２はその後も永久磁石１１６と鉄心１２０の吸着により浮上されたまま保持される。この状態で、スピンドルモータ２２の回転を停止する。
【００７７】
本実施形態によると、磁気ヘッド３２のディスク上へのロード・アンロード時にのみ、ソレノイド１１８を瞬間的に励磁するため、第４実施形態と比較して低消費電力化を図ることができる。
【００７８】
本実施形態の変形例として、磁気ヘッド３２の動作範囲全体をカバーするように大きなソレノイド及び鉄心を配置すれば、磁気ヘッド３２の浮上及び浮上の解除時におけるキャリッジ２４の位置はどこでも良い。
【００７９】
【発明の効果】
本発明によれば、ディスク及び磁気ヘッドを破損することなく、磁気ヘッドのディスク上へのロード・アンロードを行う簡単な機構を具備したディスク装置を提供することができる。
【図面の簡単な説明】
【図１】図１（Ａ）及び図１（Ｂ）は従来の機構を示す概略図である。
【図２】ディスクカートリッジが装置内に挿入を開始されたときの、本発明第１実施形態の概略平面図である。
【図３】ディスクカートリッジが装置内に完全に挿入されたときの、本発明第１実施形態の概略平面図である。
【図４】ディスクカートリッジが挿入されていないときの、第１実施形態の要部を示す斜視図である。
【図５】ディスクカートリッジが挿入されているときの、第１実施形態の要部を示す斜視図である。
【図６】ディスクカートリッジが装置内に挿入を開始されたときの、本発明第２実施形態の概略平面図である。
【図７】ディスクカートリッジが装置内に完全に挿入されたときの、本発明第２実施形態の概略平面図である。
【図８】ディスクカートリッジが挿入されていないときの、第２実施形態の要部を示す斜視図である。
【図９】ディスクカートリッジが挿入されているときの、第２実施形態の要部を示す斜視図である。
【図１０】ディスクカートリッジが装置内に完全に挿入されているときの、本発明第３実施形態の概略平面図である。
【図１１】第３実施形態の概略側面図である。
【図１２】ディスクカートリッジが挿入されているときの、第３実施形態の要部を示す斜視図である。
【図１３】ディスクカートリッジが装置内に完全に挿入されているときの、本発明第４実施形態の概略平面図である。
【図１４】ディスクカートリッジが挿入されているときの、第４実施形態の要部を示す斜視図である。
【図１５】図１５（Ａ）はソレノイドがオフのときの状態を示す概略図であり、図１５（Ｂ）はソレノイドがオンのときの状態を示す概略図である。
【図１６】本発明第４実施形態の制御回路ブロック図である。
【図１７】ディスクカートリッジが装置内に完全に挿入されているときの、本発明第５実施形態の概略平面図である。
【図１８】図１８（Ａ）は第５実施形態の概略側面図であり、図１８（Ｂ）は第５実施形態の要部を示す拡大図である。
【符号の説明】
１８  カートリッジ
２０  ディスク
２２  スピンドルモータ
２４  キャリッジ
２６  磁気ヘッドアセンブリ
３０  サスペンション
３２  磁気ヘッド
３４  光学ヘッド
３６  対物レンズ
４４  ガイド溝
４６，５４  ローラー
４８  イジェクトアーム
５５  シャッター
５６  カートリッジ排出ばね
６４，７０  磁気ヘッドリフタ
【図１】
0003763960.tif 000002
【図２】
0003763960.tif 000003
【図３】
0003763960.tif 000004
【図４】
0003763960.tif 000005
【図５】
0003763960.tif 000006
【図６】
0003763960.tif 000007
【図７】
0003763960.tif 000008
【図８】
0003763960.tif 000009
【図９】
0003763960.tif 000010
【図１０】
0003763960.tif 000011
【図１１】
0003763960.tif 000012
【図１２】
0003763960.tif 000013
【図１３】
0003763960.tif 000014
【図１４】
0003763960.tif 000015
【図１５】
0003763960.tif 000016
【図１６】
0003763960.tif 000017
【図１７】
0003763960.tif 000018
【図１８】
0003763960.tif 000019